(57)【要約】      （修正有）【課題】伸縮可能な表示パネルを有する電子装置を被覆する保護ケースを提供する。【解決手段】電子装置は、伸縮可能な表示パネル１１を含み、表示パネルは、対向する第一の側面及び第二の側面を含む。保護ケース１００は、背面カバー１１０、第一の筐体１２０及び第二の筐体１３０を含む。背面カバーは、電子装置を収容する収容空間を有する。第一の筐体は、背面カバーに摺動可能に配置され、伸縮可能な表示パネルの第一の側面に当接する。第二の筐体は、背面カバーに摺動可能に配置され、伸縮可能な表示パネルの第二の側面に当接する。第一の筐体と第二の筐体とが相対移動することにより、第一の筐体と第二の筐体との間の距離を第一の側面と第二の側面との異なる距離に従って変化させる。【選択図】図１
0003226507.tif 000002
【実用新案登録請求の範囲】
【請求項１】
対向する第一の側面及び第二の側面を含み、伸縮して前記第一の側面と前記第二の側面との間の距離を変化させる伸縮可能な表示パネルを含む電子装置を被覆する保護ケースであって、
前記電子装置を収容する収容空間を有する背面カバーと、
前記背面カバーに摺動可能に配置され、前記伸縮可能な表示パネルの前記第一の側面に当接する第一の筐体と、
前記背面カバーに摺動可能に配置され、前記伸縮可能な表示パネルの前記第二の側面に当接する第二の筐体とを含み、
前記伸縮可能な表示パネルが伸縮する時、前記第一の筐体と前記第二の筐体とが相対移動することにより、前記第一の筐体と前記第二の筐体との間の距離を前記第一の側面と前記第二の側面との異なる距離に従って変化させる保護ケース。
【請求項２】
前記第一の筐体と前記背面カバーとの互いに向かい合う部位のうち、一方は第一の摺動部を含み、他方は第一の案内溝を有し、前記第一の摺動部が前記第一の案内溝に差し込まれる、請求項１に記載の保護ケース。
【請求項３】
前記第一の案内溝は前記伸縮可能な表示パネルが伸縮する延伸方向に平行である、請求項２に記載の保護ケース。
【請求項４】
前記背面カバーは、板体と、前記板体に接続される第一の被覆部及び第二の被覆部とをさらに含み、前記電子装置は、対向する上端と下端、及び前記上端と前記下端との間に介在する底面を有し、前記第一の被覆部は前記上端に当接し、前記第二の被覆部は前記下端に当接し、前記底面は前記板体に支持される、請求項１に記載の保護ケース。
【請求項５】
前記第一の被覆部は前記板体に取り外し可能に接続され、前記第二の被覆部と前記板体とは一体的に形成される、請求項４に記載の保護ケース。
【請求項６】
前記第一の被覆部、前記第二の被覆部及び前記板体は一体的に形成される、請求項４に記載の保護ケース。
【請求項７】
前記第一の被覆部は、外面に窪んでそれぞれ前記第一の筐体及び前記第二の筐体に向かう２つの係合溝を有し、前記第一の筐体は第一の係合具を有し、前記第二の筐体は第二の係合具を有し、これらの係合溝は、それぞれ前記第一の係合具及び前記第二の係合具に対応し、これらの係合溝がそれぞれ前記第一の係合具及び前記第二の係合具を係合させることにより、前記第一の筐体及び前記第二の筐体を前記第一の被覆部に位置決めする、請求項４に記載の保護ケース。
【請求項８】
前記第一の被覆部は、外面に位置し、それぞれ前記第一の筐体及び前記第二の筐体に向かう２つの第一の磁気部品を含み、前記第一の筐体は第二の磁気部品を含み、前記第二の筐体は第三の磁気部品を含み、これらの第一の磁気部品はそれぞれ前記第二の磁気部品及び前記第三の磁気部品に対応し、これらの第一の磁気部品がそれぞれ前記第二の磁気部品及び前記第三の磁気部品を磁性吸着させることにより、前記第一の筐体及び前記第二の筐体を前記第一の被覆部に位置決めする、請求項４に記載の保護ケース。
【請求項９】
前記第一の被覆部は、外面に位置し、それぞれ前記第一の筐体及び前記第二の筐体に向かう２つの第四の磁気部品を含み、前記第一の筐体及び前記第二の筐体は磁性を有する金属である、請求項４に記載の保護ケース。
【請求項１０】
前記第一の筐体は第一の平板部を含み、前記第一の平板部は、第一のエッジと、前記第一のエッジに窪む第一のノッチ部と、前記第一のエッジに突出する第一の突起部とを有し、前記第二の筐体は第二の平板部を有し、前記第二の平板部は、第二のエッジと、前記第二のエッジに窪む第二のノッチ部と、前記第二のエッジに突出する第二の突起部とを有し、前記第一のノッチ部は前記第二の突起部に対応し、前記第二のノッチ部は前記第一の突起部に対応し、前記第一のノッチ部に前記第二の突起部を収納し、前記第二のノッチ部に前記第一の突起部を収納する、請求項１に記載の保護ケース。
【考案の詳細な説明】
【技術分野】
【０００１】
本考案は、保護ケースに関し、特に電子装置の保護ケースに関する。
【背景技術】
【０００２】
科学技術の進歩に伴い、電子装置（例えばスマートフォン）は既に広く使用されている。しかし、電子装置の機能がますます強くなるため、電子装置は、ユーザに通常の文書処理の機能を提供できるだけでなく、さらにユーザに例えば視聴享受などの他の機能を提供することもできるようになり、広範な消費者のニーズに応えるために、最近、伸縮可能な表示パネルを有する電子装置が開発され、伸縮可能な表示パネルは使用の需要に応じて異なるサイズに調整することができ、使用上の利便性を向上させることができる。
【０００３】
ところが、電子装置を携帯する過程に、電子装置が衝撃又は磨耗されることを防止するために、電子装置の外部に保護ケースを使用することが多い。しかし、通常の保護ケースは一定のサイズであり、伸縮可能な表示パネルを有する電子装置に応用することができない。そのため、伸縮可能な表示パネルを有する電子装置に用いられる保護ケースを如何に設計するかは、本分野において最近の解決すべき課題の一つである。
【考案の概要】
【０００４】
本考案は、互いに対して移動する第一の筐体及び第二の筐体を含み、伸縮可能な表示パネルを有する電子装置を保護できる保護ケースを提供する。
【０００５】
本考案に係る保護ケースは電子装置を被覆する。電子装置は伸縮可能な表示パネルを含む。伸縮可能な表示パネルは、対向する第一の側面及び第二の側面を含む。伸縮可能な表示パネルは、伸縮して第一の側面と第二の側面との間の距離を変化させる。保護ケースは、背面カバー、第一の筐体及び第二の筐体を含む。背面カバーは、電子装置を収容する収容空間を有する。第一の筐体は、背面カバーに摺動可能に配置され、第一の筐体は、伸縮可能な表示パネルの第一の側面に当接する。第二の筐体は、背面カバーに摺動可能に配置され、第二の筐体は、伸縮可能な表示パネルの第二の側面に当接する。伸縮可能な表示パネルが伸縮する時、第一の筐体と第二の筐体とが相対移動することにより、第一の筐体と第二の筐体との間の距離を第一の側面と第二の側面との異なる距離に従って変化させる。
【０００６】
上記に基づいて、本考案に係る保護ケースの第一の筐体と第二の筐体とが相対移動することにより、第一の筐体と第二の筐体との間の距離を伸縮可能な表示パネルの第一の側面と第二の側面との異なる距離に従って変化させ、これにより、伸縮可能な表示パネルを有する電子装置を保護するために用いることができる。
【０００７】
本考案の上記特徴及び利点を、より明らかで、理解しやすくするため、以下に実施例を挙げて、添付の図面によって詳細に説明する。
【図面の簡単な説明】
【０００８】
【図１】本考案に係る一実施例の保護ケースが電子装置に応用される模式図である。
【図２】図１の伸縮可能な表示パネルが伸縮する模式図である。
【図３】図１の保護ケースの分解模式図である。
【図４】図３の異なる視角の分解模式図である。
【図５】本考案に係る別の実施例の保護ケースが電子装置に応用される模式図である。
【図６】本考案に係る他の実施例の保護ケースが電子装置に応用される模式図である。
【考案を実施するための形態】
【０００９】
図１は本考案に係る一実施例の保護ケースが電子装置に応用される模式図である。図２は図１の伸縮可能な表示パネルが伸縮する模式図である。図３は図１の保護ケースの分解模式図である。図４は図３の異なる視角の分解模式図である。図１乃至図４を参照し、本実施例に係る保護ケース１００は、電子装置１０を被覆する。本実施例に係る電子装置１０は、伸縮可能な表示パネル１１を含む。ここで、電子装置１０は、例えば携帯電話であり、伸縮可能な表示パネル１１は、例えば可撓性ディスプレイ（ｆｌｅｘｉｂｌｅ  ｄｉｓｐｌａｙ  ｐａｎｅｌ）であるが、他の実施例において、電子装置１０は、例えばタブレットであり、電子装置１０の種類はこれに限定されるものではない。
【００１０】
図２及び図３に示すように、本実施例に係る保護ケース１００は、背面カバー１１０、第一の筐体１２０及び第二の筐体１３０を含む。背面カバー１１０は、電子装置１０を収容可能な収容空間１１１を有する。伸縮可能な表示パネル１１は、対向する第一の側面１１Ａ及び第二の側面１１Ｂを含む。伸縮可能な表示パネル１１は、伸縮して第一の側面１１Ａと第二の側面１１Ｂとの間の距離を変化させることができる。
【００１１】
本実施例において、第一の筐体１２０は背面カバー１１０に摺動可能に配置され、第一の筐体１２０は、伸縮可能な表示パネル１１の第一の側面１１Ａに当接することができる。第二の筐体１３０は背面カバー１１０に摺動可能に配置され、第二の筐体１３０は、伸縮可能な表示パネル１１の第二の側面１１Ｂに当接することができる。伸縮可能な表示パネル１１が伸縮する時、第一の筐体１２０と第二の筐体１３０とが相対移動することができ、これにより第一の筐体１２０と第二の筐体１３０との間の距離を第一の側面１１Ａと第二の側面１１Ｂとの異なる距離に従って変化させる。
【００１２】
以下、第一の筐体１２０及び第二の筐体１３０を相対移動させることができる方式を詳細に説明する。
【００１３】
図３及び図４に示すように、本実施例において、第一の筐体１２０は第一の案内溝Ｇ１を含み、第二の筐体１３０は第二の案内溝Ｇ２を含む。第一の摺動部Ｐ１及び第二の摺動部Ｐ２は、例えば２つのステップ（段付）ねじであり、第一の摺動部Ｐ１は、第一の筐体１２０を板体１１２に固定するために用いられるとともに、第一の案内溝Ｇ１と板体１１２との間の摺動媒体とされ、第二の摺動部Ｐ２は、第二の筐体１３０を板体１１２に固定するために用いられるとともに、第二の案内溝Ｇ２と板体１１２との間の摺動媒体とされる。本実施例において、第一の摺動部Ｐ１及び第二の摺動部Ｐ２は、第一の案内溝Ｇ１及び第二の案内溝Ｇ２を貫通して背面カバー１１０に固定され、これにより第一の筐体１２０及び第二の筐体１３０を背面カバー１１０に対して摺動可能に設けることができる。本実施例において、第一の案内溝Ｇ１は第二の案内溝Ｇ２に平行であるとともに、伸縮可能な表示パネル１１が伸縮する延伸方向Ｓに平行であるが、他の実施例において、これに限定されるものではない。
【００１４】
勿論、第一の摺動部Ｐ１及び第二の摺動部Ｐ２の種類、及び背面カバー１１０との接合方式はこれに限定されるものではない。一実施例において、背面カバー１１０、第一の摺動部Ｐ１及び第二の摺動部Ｐ２は一体化してもよい。第一の摺動部Ｐ１は、第一の案内溝Ｇ１に差し込まれる。第二の摺動部Ｐ２は、第二の案内溝Ｇ２に差し込まれることにより、摺動可能に設けられる。また、他の実施例において、第一の摺動部Ｐ１及び第二の摺動部Ｐ２は、凸柱、凸点又は第一の案内溝Ｇ１、第二の案内溝Ｇ２に摺動可能に接続される他の部材であってもよいが、これに限定されるものではない。
【００１５】
また、他の実施例において、第一の筐体１２０及び第二の筐体１３０が背面カバー１１０に摺動可能に接する形式は、第一の筐体１２０及び背面カバー１１０のうち、一方が第一の摺動部Ｐ１を含み、他方が第一の案内溝Ｇ１を有し、第二の筐体１３０及び背面カバー１１０のうち、一方が第二の摺動部Ｐ２を含み、他方が第二の案内溝Ｇ２を有する形式であってもよい。
【００１６】
或いは、一実施例において、第一の筐体１２０はそのまま第二の筐体１３０に摺動可能に設けられてもよく、つまり、第一の筐体１２０及び第二の筐体１３０のうち、一方が案内溝を有し、他方が摺動部を有する。勿論、第一の筐体１２０及び第二の筐体１３０が相対移動できる方式は、上記に制限されるものではない。
【００１７】
本実施例に係る保護ケース１００は、第一の筐体１２０及び第二の筐体１３０によって背面カバー１１０に摺動可能に配置される。このように、保護ケース１００の幅は、一定の距離に制限されることなく、伸縮可能な表示パネル１１の伸縮程度に応じて変化することにより、伸縮可能な表示パネル１１を有する電子装置１０を保護する目的を果たすことができる。
【００１８】
図３を参照し、さらに詳しくは、本実施例において、第一の筐体１２０は第一の平板部１２１を含む。第一の平板部１２１は、第一のエッジＥ１と、第一のエッジＥ１に窪む第一のノッチ部１２１Ａと、第一のエッジＥ１に突出する第一の突起部１２１Ｂとを有する。第一の案内溝Ｇ１は、第一の突起部１２１Ｂに設けられ、第一のエッジＥ１とは逆の方向へ延伸する。
【００１９】
本実施例において、第二の筐体１３０は第二の平板部１３２を含む。第二の平板部１３２は、第二のエッジＥ２と、第二のエッジＥ２に窪む第二のノッチ部１３２Ａと、第二のエッジＥ２に突出する第二の突起部１３２Ｂとを有する。第二の案内溝Ｇ２は、第二の突起部１３２Ｂに設けられ、第二のエッジＥ２とは逆の方向へ延伸する。
【００２０】
本実施例において、第一のノッチ部１２１Ａの内輪郭Ｔ１は、第二の突起部１３２Ｂの外輪郭Ｔ２に適合し、第二のノッチ部１３２Ａの内輪郭Ｔ３は、第一の突起部１２１Ｂの外輪郭Ｔ４に適合し、これにより第一のノッチ部１２１Ａに第二の突起部１３２Ｂを収納することができ、第二のノッチ部１３２Ａに第一の突起部１２１Ｂを収納することができる。これによって、第一の筐体１２０及び第二の筐体１３０は同一の平面に位置することができ、保護ケース１００の厚みを薄くし、表示パネルの大きさの二倍まで拡張できる伸縮可能な表示パネル１１を有する電子装置１０に適用する。
【００２１】
勿論、他の実施例において、第一の筐体１２０及び第二の筐体１３０は、上下に重ね合わせて背面カバー１１０を被覆してもよく、これにより保護ケース１００は、表示パネルの大きさの三倍まで拡張できる伸縮可能な表示パネル１１を有する電子装置１０に適用し、かつ、これに制限されるものではない。
【００２２】
また、本実施例において、背面カバー１１０は、板体１１２と、板体１１２に接続される第一の被覆部１１３及び第二の被覆部１１４とをさらに含む。電子装置１０は、対向する上端１２と下端１３、及び上端１２と下端１３との間に介在する底面１４を有する。第一の被覆部１１３は上端１２に当接し、第二の被覆部１１４は下端１３に当接し、底面１４は板体１１２に支持される。
【００２３】
つまり、板体１１２は電子装置１０の底面１４に貼付することができ、第一の被覆部１１３は上端１２に契合する収容空間を有し、第二の被覆部１１４は下端１３に契合する収容空間を有し、これにより電子装置１０を完全に被覆し、落下防止、防傷などの目的を果たす。
【００２４】
本実施例において、第一の被覆部１１３、第二の被覆部１１４及び板体１１２は、例えば硬質ケースであり、その材料はプラスチック、金属又は他の硬い材料を含む。第一の被覆部１１３は、電子装置１０への組み立てを便利にするために、板体１１２に取り外し可能に接続される。また、第二の被覆部１１４と板体１１２とは一体的に形成され、保護ケース１００の保護性能を向上させる。
【００２５】
勿論、他の実施例において、第一の被覆部１１３、第二の被覆部１１４及び板体１１２は軟質ケースであり、材料はゴム、シリカゲル又は他の可撓性を有する材料を含み、ここで、第一の被覆部１１３、第二の被覆部１１４及び板体１１２が一体的に形成されることで、組立ステップを省略し、第一の被覆部１１３、第二の被覆部１１４及び板体１１２の接続方式又は材料は、プロセスの必要に応じて異なってもよいが、これに制限されるものではない。
【００２６】
その他、伸縮可能な表示パネル１１が展開していない時に、第一の筐体１２０及び第二の筐体１３０は、背面カバー１１０との間の相対的位置を安定して維持できるために、本実施例において、図２に示すように、第一の被覆部１１３は、外面に窪んでそれぞれ第一の筐体１２０及び第二の筐体１３０に向かう２つの係合溝１１３１を有する。第一の筐体１２０は第一の係合具１１３２を有し、第二の筐体１３０は第二の係合具１１３３を有する。これらの係合溝１１３１は、それぞれ第一の係合具１１３２及び第二の係合具１１３３に対応し、これにより第一の係合具１１３２及び第二の係合具１１３３はそれぞれ２つの係合溝１１３１に係合されることができ、第一の筐体１２０及び第二の筐体１３０を第一の被覆部１１３に位置決めする。
【００２７】
ユーザは伸縮可能な表示パネル１１を展開しようとする時、力を加えて背面カバー１１０に対する第一の筐体１２０と第二の筐体１３０との固定関係を解除するだけで、第一の筐体１２０及び第二の筐体１３０を伸縮可能な表示パネル１１とともに展開することができ、これにより保護ケース１００は、伸縮可能な表示パネル１１が展開する状態でも、依然として電子装置１０を保護することができる。本実施例において、第一の筐体１２０及び第二の筐体１３０は、係合の方式を用いて第一の被覆部１１３に位置決めするが、本考案はこれに限定されるものではない。
【００２８】
図５は本考案に係る別の実施例の保護ケースが電子装置に応用される模式図である。図５を参照し、本実施例において、保護ケース１００Ａの第一の筐体１２０Ａ及び第二の筐体１３０Ａは、磁性吸着の方式を用いて第一の被覆部１１３Ａに位置決めする。
【００２９】
本実施例において、背面カバー１１０Ａの第一の被覆部１１３Ａは、外面に位置してそれぞれ第一の筐体１２０Ａ及び第二の筐体１３０Ａに向かう２つの第一の磁気部品Ｍ１を含む。第一の筐体１２０Ａは第二の磁気部品Ｍ２を含み、第二の筐体１３０Ａは第三の磁気部品Ｍ３を含む。これらの第一の磁気部品Ｍ１はそれぞれ第二の磁気部品Ｍ２及び第三の磁気部品Ｍ３に対応し、これによりこれらの第一の磁気部品Ｍ１はそれぞれ第二の磁気部品Ｍ２及び第三の磁気部品Ｍ３を磁性吸着させ、第一の筐体１２０Ａ及び第二の筐体１３０Ａを第一の被覆部１１３Ａに位置決めすることができる。
【００３０】
本実施例において、第一の筐体１２０Ａ及び第二の筐体１３０Ａを第一の被覆部１１３Ａに位置決めする方式は、第一の磁気部品Ｍ１、第二の磁気部品Ｍ２及び第三の磁気部品Ｍ３を利用する方式であるが、他の実施例において、これに限定されるものではない。
【００３１】
図６は本考案に係る他の実施例の保護ケースが電子装置に応用される模式図である。図６を参照し、本実施例において、保護ケース１００Ｂの第一の筐体１２０Ｂ及び第二の筐体１３０Ｂを背面カバー１１０Ｂの第一の被覆部１１３Ｂに位置決めする方式は、第一の被覆部１１３Ｂが２つの第四の磁気部品Ｍ４を含み、第一の筐体１２０Ｂ及び第二の筐体１３０Ｂが磁性を有する金属、例えば鉄、ニッケル、コバルトなどにより製造され、第一の被覆部１１３Ｂの２つの第四の磁気部品Ｍ４を第一の筐体１２０Ｂ及び第二の筐体１３０Ｂに吸着させることができ、これにより第一の筐体１２０Ｂ及び第二の筐体１３０Ｂを第一の被覆部１１３Ｂに位置決めする方式であるが、他の実施例において、第一の筐体１２０Ｂ及び第二の筐体１３０Ｂはそれぞれ第四の磁気部品Ｍ４を含み、第一の被覆部１１３Ｂは磁性を有する金属により製造されてもよいが、これに限定されるものではない。
【００３２】
上記をまとめると、本考案に係る保護ケースの第一の筐体と第二の筐体とが相対移動し、かつ第一の筐体が伸縮可能な表示パネルの第一の側面に当接し、第二の筐体が伸縮可能な表示パネルの第二の側面に当接し、これにより第一の筐体と第二の筐体との間の距離を伸縮可能な表示パネルの第一の側面と第二の側面との異なる距離に従って変化させる。このように、保護ケースは伸縮可能な表示パネルの伸縮変化に適応することができ、伸縮可能な表示パネルを有する電子装置を保護する目的を果たす。
【００３３】
実施例にて、本考案を以上のように開示したが、実施例は、本考案を限定するためのものではなく、当業者であれば、本考案の趣旨と範囲から逸脱することなく、いくつかの変更及び修飾を行うことができるので、本考案の保護範囲は添付の特許請求の範囲に限定されたものを基準とすべきである。
【符号の説明】
【００３４】
１０：  電子装置
１１：  伸縮可能な表示パネル
１１Ａ：  第一の側面
１１Ｂ：  第二の側面
１２：  上端
１３：  下端
１４：  底面
１００、１００Ａ、１００Ｂ：  保護ケース
１１０、１１０Ａ、１１０Ｂ：  背面カバー
１１１：  収容空間
１１２：  板体
１１３、１１３Ａ、１１３Ｂ：  第一の被覆部
１１３１：  係合溝
１１３２：  第一の係合具
１１３３：  第二の係合具
１１４：  第二の被覆部
１２０、１２０Ａ、１２０Ｂ：  第一の筐体
１２１：  第一の平板部
１２１Ａ：  第一のノッチ部
１２１Ｂ：  第一の突起部
１３０、１３０Ａ、１３０Ｂ：  第二の筐体
１３２Ａ：  第二のノッチ部
１３２Ｂ：  第二の突起部
Ｅ１：  第一のエッジ
Ｅ２：  第二のエッジ
Ｇ１：  第一の案内溝
Ｇ２：  第二の案内溝
Ｍ１：  第一の磁気部品
Ｍ２：  第二の磁気部品
Ｍ３：  第三の磁気部品
Ｍ４：  第四の磁気部品
Ｐ１：  第一の摺動部
Ｐ２：  第二の摺動部
Ｓ：  延伸方向
Ｔ１、Ｔ３：  内輪郭
Ｔ２、Ｔ４：  外輪郭
【図１】
0003226507.tif 000003
【図２】
0003226507.tif 000004
【図３】
0003226507.tif 000005
【図４】
0003226507.tif 000006
【図５】
0003226507.tif 000007
【図６】
0003226507.tif 000008